(57)【特許請求の範囲】
【請求項１】
前方に向けて開口したハウジングと、
前記ハウジングにスライド移動によって前後に出入可能に支持され、かつ物品を載置可能な載置面又は物品を挿入可能な受容孔を備えた引出体とを有し、
前記引出体の側面に、側方に突設されると共に、前記引出体のスライド方向に延びるガイドレールが設けられ、
前記ハウジングの内側に前記ガイドレールを摺動可能に受容するガイド溝が設けられ、
前記ガイドレールの上面に付着した液体の前記ガイドレールの基端側への移動を阻止すると共に、前記液体を前記ガイドレールの左右側縁側に導くために、前記ガイドレールにおける前記ハウジングから突出可能な部分の上面に、左右方向における一端から他端まで連続して形成された止水壁が設けられていることを特徴とする引出装置。
【請求項２】
前記ガイドレールの上面は、前記引出体の基端側に設けられた第１面と、前記第１面に対して前記引出体の先端側に設けられ、段部を介して段違いに下がった第２面とを有し、
前記止水壁は、前記段部によって形成されることを特徴とする請求項１に記載の引出装置。
【請求項３】
前記ハウジングには、前記ガイド溝内に出入可能に設けられ、前記ガイド溝内に突出した突出位置において前記ガイドレールの上面に当接する押圧部材と、前記押圧部材を突出位置側に付勢する付勢部材とを有することを特徴とする請求項２に記載の引出装置。
【請求項４】
前記第２面には、前記引出体の先端側から基端側に延びると共に、基端側に進むほど突出量が大きくなるスロープが設けられ、
前記スロープの基端側の端部は、前記段部との間に隙間をおいて配置されると共に、前記段部の高さと略同じ高さを有することを特徴とする請求項３に記載の引出装置。
【請求項５】
前記スロープと前記止水壁との間の距離は、前記押圧部材の前記第１面との摺動面の前記ガイドレールの長手方向における長さよりも小さいことを特徴とする請求項４に記載の引出装置。
【請求項６】
前記第１面、前記第２面、及び前記スロープは、左右方向において前記ガイドレールの突出端側に進むほど下るように傾斜していることを特徴とする請求項４又は請求項５に記載の引出装置。
【請求項７】
前記引出体は、円弧状の軌道に沿ってスライド移動し、
前記引出体の先端部は、前記ハウジングから突出した引出位置において略水平に配置され、前記ハウジングに没入した収納位置において水平面に対して傾斜して配置されることを特徴とする請求項１〜請求項６のいずれか１つの項に記載の引出装置。
【請求項８】
前記止水壁は、左右側縁側に進むにつれて前記引出体の基端側に進むように傾斜していることを特徴とする請求項７に記載の引出装置。
【発明の詳細な説明】
【技術分野】
【０００１】
本発明は、引出装置に関し、例えば車両のインストルメントパネル等に備え付けられ、引出体の先端部に飲料容器等の物品を保持する装置に関する。
【背景技術】
【０００２】
引出装置として、車両のインストルメントパネルに設けられたカップホルダガイドと、カップホルダガイドにスライド移動によって出し入れ可能に支持された引出体としてのカップホルダ本体と、カップホルダ本体の先端部に装着されたトレイとを有するカップホルダが公知となっている（例えば、特許文献１）。このカップホルダでは、カップホルダガイドがカップホルダ本体の出し入れ方向に貫通した筒形に形成され、カップホルダガイドの内端は上方に向けて開口した溝形のカップホルダブラケットによって、インストルメントパネルの内側に配置された車体骨格であるステアリングサポートメンバに接続されている。これにより、カップホルダ本体上にこぼれた飲料等の液体は、カップホルダ本体の上面、カップホルダガイドの内側、及びカップホルダブラケットの上面を流れ、ステアリングサポートメンバから下方に落下する。このように液体の落下位置をステアリングサポートメンバに集中させることによって、インストルメントパネルに配置されるラジオ等の電子機器に液体が降りかかることを防止している。
【先行技術文献】
【特許文献】
【０００３】
【特許文献１】特開平１１−３３４４４８
【発明の概要】
【発明が解決しようとする課題】
【０００４】
しかしながら、特許文献１に係るカップホルダでは、液体がカップホルダガイドの内側に流れるため、液体が糖分等を含む場合にはカップホルダガイドの内部で固着し、カップホルダ本体とカップホルダガイドとの出し入れが阻害される虞がある。また、インストルメントパネルの内部に、カップホルダブラケットから排出される液体の排出経路を、他の機器や車体骨格を考慮して形成しなければならず、レイアウトが複雑になるという問題がある。
【０００５】
以上の背景に鑑み、本発明は、ハウジングに出入可能に支持された引出体を有する引出装置において、引出体に付着した液体のハウジングへの侵入を防止することを課題とする。
【課題を解決するための手段】
【０００６】
上記の課題を解決するために、本発明は、引出装置（１）であって、前方に向けて開口したハウジング（２）と、前記ハウジングにスライド移動によって前後に出入可能に支持された引出体（３）とを有し、前記引出体における前記ハウジングから突出可能な部分の外面に、前記外面に付着した液体の前記引出体の基端側への移動を阻止すると共に、前記液体を前記引出体の左右側縁側に導く止水壁（２５）が設けられていることを特徴とする。止水壁は、面に対して突出した凸部の側壁面や、溝や段部の一部を構成する側壁面として形成されてよい。
【０００７】
この構成によれば、引出体の外面に設けられた止水壁によって、引出体に付着した液体は引出体の左右側縁に導かれ、引出体から落下する。これにより、液体のハウジング内への侵入が防止される。
【０００８】
また、上記の発明において、前記引出体の側面（３Ａ）に、側方に突出すると共に、前記引出体のスライド方向に延びるガイドレール（１５）が設けられ、前記ハウジングの内側に前記ガイドレールを摺動可能に受容するガイド溝（１０）が設けられ、前記止水壁は、前記ガイドレールの上面（１５Ｃ）に設けられているとよい。
【０００９】
この構成によれば、ガイドレールの上面に付着した液体が、ハウジングに侵入することなく、ガイドレールから除去される。
【００１０】
また、上記の発明において、前記ガイドレールの上面は、前記引出体の基端側に設けられた第１面（２１）と、前記第１面に対して前記引出体の先端側に設けられ、段部（２４）を介して段違いに下がった第２面（２２）とを有し、前記止水壁は、前記段部によって形成されるとよい。
【００１１】
この構成によれば、ガイドレールのハウジングとの摺動を可能にしながら、止水壁を形成することができる。
【００１２】
また、上記の発明において、前記ハウジングには、前記ガイド溝内に出入可能に設けられ、前記ガイド溝内に突出した突出位置において前記ガイドレールの上面に当接する押圧部材（３６）と、前記押圧部材を突出位置側に付勢する付勢部材（３７）とを有するとよい。
【００１３】
この構成によれば、付勢部材によって付勢された押圧部材がガイドレールに当接することによって、ガイド溝とガイドレールとの隙間が埋められ、ハウジングに対する引出体のがた付きが抑制される。また、押圧部材は、引出体が収納された状態において第２面に当接し、引出体が引き出された状態において第２面より隆起した第１面に当接するため、引出体が引き出された状態においてガイドレールとの接触圧が増加し、がた付きを一層確実に抑制することができる。
【００１４】
また、上記の発明において、前記第２面には、前記引出体の先端側から基端側に延びると共に、基端側に進むほど突出量が大きくなるスロープ（３０）が設けられ、前記スロープの基端側の端部は、前記段部との間に隙間（３１）をおいて配置されると共に、前記段部の高さと略同じ高さを有するとよい。
【００１５】
この構成によれば、引出体が出し入れされるときに、押圧部材のガイドレールとの摺動面はスロープを介して第１面から第２面、又は第２面から第１面に移行する。そのため、押圧部材と段部（止水壁）との衝突が避けられ、引出体の出し入れが円滑になる。
【００１６】
また、上記の発明において、前記スロープと前記止水壁との間の距離は、前記押圧部材の前記第１面との摺動面の前記ガイドレールの長手方向における長さよりも小さいとよい。
【００１７】
この構成によれば、押圧部材と止水壁との衝突が確実に避けられ、引出体の出し入れが円滑になる。
【００１８】
また、上記の発明において、前記第１面、前記第２面、及び前記スロープは、左右方向において前記ガイドレールの突出端側に進むほど下るように傾斜しているとよい。
【００１９】
この構成によれば、ガイドレール上に付着した液体は、重力によってガイドレールの左右側縁側に移動し、左右側縁から落下する。
【００２０】
また、上記の発明において、前記引出体は、円弧状の軌道に沿ってスライド移動し、前記引出体の先端部は、前記ハウジングから突出した引出位置において略水平に配置され、前記ハウジングに没入した収納位置において水平面に対して傾斜して配置されるとよい。
【００２１】
この構成によれば、ハウジングの前後長さを小さくしつつ、突出位置における引出体の突出部の前後長さを大きくすることができる。
【００２２】
また、上記の発明において、前記止水壁は、左右側縁側に進むにつれて前記引出体の基端側に進むように傾斜しているとよい。
【００２３】
この構成によれば、重力によって引出体の基端側に進もうとする液体が止水壁に沿って、左右側縁側に流れるようになる。
【発明の効果】
【００２４】
本発明によれば、ハウジングに出入可能に支持された引出体を有する引出装置において、引出体に付着した液体のハウジングへの侵入を防止することができる。
【図面の簡単な説明】
【００２５】
【図１】実施形態に係る引出装置の斜視図
【図２】実施形態に係る引出装置の側面図
【図３】図２のIII−III断面図
【図４】図２のIV−IV断面図
【図５】ガイドレールを示す斜視図
【図６】ガイドレールの上面と正対する方向から見た平面図
【発明を実施するための形態】
【００２６】
以下、本発明の実施形態について図面を参照しながら説明する。実施形態に係る引出装置１は、出し入れ可能なテーブルであり、例えば車両のインストルメントパネル１００に備え付けられる。実施形態に係る引出装置１は、左右対称形の構造を有するため、同様の構造については左右一方の構造について説明する。
【００２７】
図１に示すように、引出装置１は、ハウジング２と、引出体３と、第１及び第２ブラケット４、５と、枠板６とを有する。図１〜図４に示すように、ハウジング２は、前後に延びる底部２Ａと、底部２Ａの左右両端に上方に向けて突設された側壁部２Ｂとを有して、横断面が上方に開口した溝形に形成されている。底部２Ａは、左右方向から見て、斜め上方に向けて凸となる円弧状に形成され、後端（後端）に対して前端（先端）が上方に配置されている。底部２Ａは、後端において略上下に延びると共に、前端において斜め上方に向けて延びている。底部２Ａは、左右方向に幅を有し、円周面状の上面２Ｃ及び下面２Ｄを有する。
【００２８】
左右の側壁部２Ｂは、底部２Ａの左右側縁に沿って、互いに平行に延びている。左右の側壁部２Ｂは、左右方向から見て、底部２Ａと同様に円弧状に延びている。左右の側壁部２Ｂの左右方向において互いに対向する側面（以下、内側面２Ｅという）の下部には、左右方向に凹設されたガイド溝１０が形成されている。左右のガイド溝１０は、それぞれ側壁部２Ｂの長手方向に沿って円弧状に延びている。各ガイド溝１０は、溝の底を構成する底壁部１０Ａと、溝の側壁を構成する下壁部１０Ｂ及び上壁部１０Ｃとを有する。各ガイド溝１０の横断面において、底壁部１０Ａは略上下に延び、下壁部１０Ｂは略左右（水平）に延び、上壁部１０Ｃは底壁部１０Ａ側よりも開口端側（内側面２Ｅ側）が上方に位置するように左右方向（水平方向）に対して傾斜して延びている。これにより、各ガイド溝１０の横断面は、略台形に形成されている。
【００２９】
第１ブラケット４は、ハウジング２の底部２Ａの下面２Ｄに沿う底板部４Ａと、左右の側壁部２Ｂの外面に沿う側板部４Ｂとを有し、横断面が上方に向けて開口した溝形をなす。第１ブラケット４は、前後方向においてハウジング２よりも短く形成され、前端がハウジング２の前端と概ね同じ位置に配置され、後端がハウジング２の前後方向における中間部に配置されている。第１ブラケット４は、底板部４Ａにおいて、螺子等の締結部材によってハウジング２の底部２Ａの下面２Ｄに結合されている。第１ブラケット４の各側板部４Ｂの突出端には、側板部４Ｂに対して直角に折曲された第１締結片４Ｃが形成されている。また、各側板部４Ｂの外面には、第２締結片４Ｄが突設されている。
【００３０】
第２ブラケット５は板状をなし、第１ブラケット４の左右の側壁部２Ｂの突出端（上端）に架け渡されている。詳細には、第２ブラケット５の左右端は、第１ブラケット４の左右の第１締結片４Ｃと当接するように配置され、螺子等の締結部材によって第１締結片４Ｃと共にインストルメントパネル１００又はインストルメントパネル１００を支持する車体骨格（不図示）に結合されている。第１ブラケット４及び第２ブラケット５は、互いに協働して前後に開口した筒構造を形成し、筒構造の内部にハウジング２の前部を収容している。図２に示すように、第２締結片４Ｄは、螺子等の締結部材によってインストルメントパネル１００又は車体骨格に結合されている。このように、第１及び第２ブラケット４、５を介して、ハウジング２はインストルメントパネル１００の裏面側の所定位置に配置される。ハウジング２がインストルメントパネル１００に配置された状態において、ハウジング２の前端はインストルメントパネル１００に形成された開口１０１と対応して配置される。
【００３１】
図１に示すように、枠板６は、枠形をなし、ハウジング２の前端に対応するように、第１ブラケット４の前端に結合されている。枠板６は、インストルメントパネル１００の開口の縁に沿って配置され、ハウジング２とインストルメントパネル１００の開口１０１との隙間、及び第１及び第２ブラケット４、５の前端を外部から見えないように隠す。
【００３２】
図１〜図４に示すように、引出体３は、ハウジング２の底部２Ａ及び一対の側壁部２Ｂによって形成される溝内に配置され、底部２Ａの長手方向に沿ってスライド移動可能になっている。引出体３は、左右方向から見てハウジング２の底部２Ａと同様の曲率を有する円弧形状に形成されている。引出体３の左右幅は、ハウジング２の左右の側壁部２Ｂの内側面２Ｅ間の距離よりも小さく設定されている。本実施形態では、引出体３は、複数の部品を組み合わせて形成され、内部が中空に形成されている。引出体３の左右の側面３Ａの下部には、ガイドレール１５がそれぞれ突設されている。左右のガイドレール１５は、引出体３がハウジング２に支持された状態で、左右のガイド溝１０に係合する。ガイドレール１５は、引出体３の長手方向に沿って、円弧状に延びている。ガイドレール１５の長手方向に直交する横断面は、ガイド溝１０と相補的な形状を有し、略台形に形成されている。ガイドレール１５は、略上下に延びる突出端面１５Ａと、略水平に延びる下面１５Ｂと、引出体３の左右側面から突出端面１５Ａにかけて下るように傾斜した上面１５Ｃとを有する。
【００３３】
ガイドレール１５がガイド溝１０に係合することによって、引出体３はハウジング２に対して円弧軌道を描きながら前後にスライド移動する。ハウジング２に対して引出体３が最も後方に位置する引出体３の収納位置では引出体３は前端（先端）を除く大部分がハウジング２の内側に収容される。また、ハウジング２に対して引出体３が最も前方に位置する引出体３の引出位置では引出体３は後端（基端）を除く大部分がハウジング２の前方に突出する。引出体３とハウジング２とには、引出位置において互い突き当たり、引出体３の前方への移動を規制するストッパが設けられているとよい。引出体３は、収納位置おいて、ハウジング２の底部２Ａに沿って概ね上下に延在する。詳細には、引出体３は、収納位置において、後端が略上下に延在し、前端側に進むにつれて前傾した姿勢となる。一方、引出体３は、引出位置おいて、概ね前後に延在する。詳細には、引出体３は、引出位置において、前端が略水平に前後に延在し、後端側に進むほど下方に向けて傾斜した姿勢となる。
【００３４】
ガイドレール１５の上面１５Ｃは、長手方向において、後部に配置された第１面２１と、中間部に配置された第２面２２と、前部に配置された第３面２３とを有する。第２面２２は、第１面２１及び第３面２３に対して下がった位置に配置されている。換言すると、ガイドレール１５の上面１５Ｃの長手方向における中間部には、後部の第１面２１及び前部の第３面２３に対して凹んだ凹部が形成されており、凹部の底面によって第２面２２が形成されている。第１面２１及び第３面２３の位置関係は任意であってよいが、本実施形態では１つの連続した仮想円弧面上に第１面２１及び第３面２３が配置されている。
【００３５】
図５及び図６に示すように、第１面２１と第２面２２との境界部には、第１面２１から第２面２２に下る段部２４が形成されている。段部２４の第１面２１及び第２面２２に直交する側壁を止水壁２５という。止水壁２５は、引出体３が引出位置にあるときに、ハウジング２の前端よりも前方に位置する部分に配置されている。止水壁２５は、上面１５Ｃの左右方向における一端から他端まで連続して形成されている。また、止水壁２５は、直線状に延び、ガイドレール１５の突出端側が基端側よりも後方に配置されるように傾斜している。ガイドレール１５の上面１５Ｃと対向する方向から見て、止水壁２５と、ガイドレール１５の長手方向と直交する面とがなす角度θは、例えば０°以上８０°以下であってよい。引出体３が引出位置にあるときには、止水壁２５の角度θが前記の範囲内において大きくなるほど止水壁２５の延在方向が鉛直方向に近づくため、ガイドレール１５の突出端側に水が流れ易くなる。止水壁２５の第２面２２からの高さは、任意であってよいが、例えば０．３ｍｍ以上であるとよい。
【００３６】
図１〜図５に示すように、第１面２１、第２面２２、第３面２３、及びスロープ３０の傾斜面は、左右方向においてガイドレール１５の突出端側（突出端面１５Ａ側）に進むにつれて下るように傾斜している。
【００３７】
図１及び図２に示すように、第２面２２と第３面２３との境界部には、第２面２２から第３面２３とを滑らかに繋ぐ傾斜面２７が形成されている。
【００３８】
図１〜図６に示すように、第２面２２には、スロープ３０が突設されている。スロープ３０は、ガイドレール１５の長手方向に延び、後方に進むにつれて第２面２２からの突出量が漸増している。スロープ３０の後端は、止水壁２５との間に隙間３１をおいて配置されている。スロープ３０の後端における第２面２２からの高さは、止水壁２５の第２面２２からの高さと略同一に形成され、スロープ３０の後端と第１面２１とは概ね同じ高さに配置されている。換言すると、スロープ３０の後端は、円弧状の第１面２１を外挿した仮想円弧面上に配置されている。また、スロープ３０は、第２面２２の左右方向における中央に配置されている。
【００３９】
図２及び図３に示すように、ガイド溝１０の上壁部１０Ｃには、上方に向けて凹んだ収容凹部３５が形成されている。収容凹部３５は、側壁部２Ｂの内側面２Ｅにも開口している。収容凹部３５には、押圧部材３６が左右方向に変位可能に収容されている。押圧部材３６は、下部に傾斜面であるカム面３６Ａを有する。カム面３６Ａは、左右方向において収容凹部３５の底部側が下方に突出するように傾斜している。押圧部材３６は、左右方向において収容凹部３５から突出する方向に移動することによってカム面３６Ａにおいてガイドレール１５の上面１５Ｃに当接する。左右方向において収容凹部３５と押圧部材３６との間には、押圧部材３６を左右方向において収容凹部３５から突出する方向に付勢する付勢部材３７が介装されている。付勢部材３７は、板ばねや圧縮コイルばね、捩じりばね等の公知の付勢部材であってよく、本実施形態では板ばねを適用した例について示している。
【００４０】
付勢部材３７に付勢された左右一対の押圧部材３６は、左右方向において各収容凹部３５から突出する方向に移動することによって、それぞれのカム面３６Ａが各ガイドレール１５の上面１５Ｃに当接し、ガイドレール１５を左右方向における内側（引出体３の左右方向における中央側）かつ下方に押圧する。これにより、引出体３は左右方向において左右の押圧部材３６に挟まれると共に、上下方向において押圧部材３６とハウジング２の底部２Ａとに挟まれ、がた付きが抑制される。
【００４１】
引出体３がハウジング２に対して出し入れされるときには、押圧部材３６は、ガイドレール１５の上面１５Ｃ上を摺動し、第１面２１、第２面２２、スロープ３０、傾斜面２７、及び第３面２３のいずれかと当接する。引出体３が収納位置にあるときには押圧部材３６は第３面２３に当接し、引出体３が引出位置にあるときには押圧部材３６は第１面２１に当接し、引出体３が収納位置と引出位置の中間にあるときには押圧部材３６は第２面２２、スロープ３０、又は傾斜面２７に当接する。
【００４２】
ガイドレール１５の長手方向において、押圧部材３６の摺動面はスロープ３０の後端と止水壁２５との間の隙間３１より長く形成され、押圧部材３６の隙間３１への嵌まり込みが阻止されている。これにより、引出体３が収納位置から引出位置まで引き出されるときには、押圧部材３６は第３面２３、傾斜面２７、第２面２２、スロープ３０、第１面２１の順で摺動し、止水壁２５との衝突が避けられる。
【００４３】
引出体３の前端には、前面板４１が結合されている。前面板４１は、主面が前方を向き、その外縁が引出体３よりも上下及び左右に張り出している。引出体３が収納位置にあるときに、前面板４１の縁部は前方から見て枠板６の内縁と重なり、枠板６によって形成される開口を閉塞する。前面板４１の下部中央には、使用者が引出体３を引き出すときに掴む把持部４１Ａが設けられている。
【００４４】
図１に示すように、引出体３の前端における上面（外周面）には、下方に向けて凹設された凹部４３が形成されている。凹部４３の底には平面状の載置面４３Ａに形成され、載置面４３Ａの周囲には縁壁４３Ｂが形成されている。載置面４３Ａは、引出体３が引出位置にあるときに水平となるように形成されている。載置面４３Ａには、カップやペットボトル等の飲料容器や、スマートフォン等の電子機器を含む様々な物品を置くことができる。凹部４３の周囲を形成する縁壁４３Ｂは、載置面４３Ａ上に載置された物品の移動を規制すると共に、載置面４３Ａ上に落下した液体や異物の移動を凹部４３内に留める。
【００４５】
以下に本実施形態に係る引出装置１の効果について説明する。引出装置１では、ガイドレール１５の上面に止水壁２５が形成されているため、ガイドレール１５の上面１５Ｃに付着した液体は、止水壁２５によって、後方への移動が阻止され、かつ左右側縁（ガイドレール１５の突出端側）に導かれて引出体３から落下する。引出体３が引出位置にあるときに止水壁２５はハウジング２の前端よりも前方にあるため、ガイドレール１５に付着した液体は引出装置１の外部（ハウジング２の外方）において取り除かれ、引出装置１内への侵入が防止される。ガイドレール１５の第２面２２を含む上面１５Ｃは、左右方向においてガイドレール１５の突出端側が下がるように傾斜しているため、上面１５Ｃ上の液体は重力によってガイドレール１５の突出端側への移動が促進される。
【００４６】
ハウジング２には、ガイドレール１５を左右方向における中央側かつ下方に押圧する押圧部材３６が設けられているため、ハウジング２と引出体３との接触が維持され、ハウジング２に対する引出体３のがた付きが防止されると共に、引出体３の位置安定性が向上する。また、押圧部材３６は、引出体３が引出位置又は収納位置にあるときに、第２面２２よりも上方（押圧部材３６側）に隆起した第１面２１及び第３面２３に当接するため、第２面２２に当接するときよりも大きな力でガイドレール１５を押圧することができる。これにより、引出体３が引出位置又は収納位置にあるときには、押圧部材３６は比較的大きな力でガイドレール１５を押圧して、引出体３のがた付きを一層抑制することができる。一方、引出体３が引出位置及び収納位置の中間位置にあるときには、押圧部材３６のガイドレール１５を押圧する力が小さくなり、引出体３の出し入れ（スライド移動）が容易になる。
【００４７】
引出体３を引き出すときには、押圧部材３６はスロープ３０上を摺動し、止水壁２５と接触することなく、第１面２１上に移動することができる。これにより、引出体３の引き出し動作が滑らかになる。
【００４８】
以上で具体的実施形態の説明を終えるが、本発明は上記実施形態に限定されることなく幅広く変形実施することができる。上記の実施形態では、止水壁２５を第１面２１及び第２面２２の境界に形成された段部２４の側壁面によって形成したが、他の実施形態では止水壁は、面に対して突出した凸部の側壁面や、溝の一部を構成する側壁面として形成されてもよい。また、上記の実施形態は、ガイドレール１５の上面１５Ｃに止水壁２５を設けた例について説明したが、止水壁２５は引出体３の上面や側面３Ａに設けてもよい。引出体３の上面に止水壁を形成する場合、その止水壁の左右側端は、ガイドレール１５に形成された止水壁２５よりも前方に配置することが好ましい。このように構成すると、引出体３の上面に設けられた止水壁によって導かれた液体は、第２面２２上に流れ、その後、ガイドレール１５の止水壁２５に導かれてガイドレール１５の突出端面１５Ａから排出される。止水壁は、引出体３に形成された溝の側壁によって形成されてもよい。
【００４９】
また、引出体３の上面に凹部４３から側面３Ａに延びる排出溝（排出孔）を設けてもよい。排出溝は、凹部４３からオーバーフローする液体を引出体３の左右側縁側に導くことによって、液体が上面上を後方に流れることを抑制することができる。排出溝の左右側端は、ガイドレール１５に形成された止水壁２５よりも前方に配置することが好ましい。
【００５０】
上記実施形態では、引出体３の前端に載置面４３Ａを設け、引出体３をテーブルとして構成したが、載置面４３Ａに代えて飲料容器を挿入可能な容器受容孔を形成してもよい。容器受容孔は、下方に向けて凹んだ有底孔や、上下に貫通した貫通孔であってよい。
【符号の説明】
【００５１】
１...引出装置、２...ハウジング２...引出体、４...第１ブラケット、５...第２ブラケット、６...枠板、１０...ガイド溝、１５...ガイドレール、１５Ｃ...上面、２１...第１面、２２...第２面、２３...第３面、２４...段部、２５...止水壁、３０...スロープ、３１...隙間、３５...収容凹部、３６...押圧部材、３６Ａ...カム面、３７...付勢部材、１００...インストルメントパネル
【図１】
0006358978.tif 000002
【図２】
0006358978.tif 000003
【図３】
0006358978.tif 000004
【図４】
0006358978.tif 000005
【図５】
0006358978.tif 000006
【図６】
0006358978.tif 000007